【手続補正書】
【提出日】平成28年6月6日(2016.6.6)
【手続補正１】
【補正対象書類名】明細書
【補正対象項目名】０００７
【補正方法】変更
【補正の内容】
【０００７】
そのために本発明では、データ処理装置であって、記録媒体の所定領域に形成する画像を構成する複数の画素それぞれの階調を多値で示す多値データを取得する取得手段と、前記取得手段により取得された、複数の前記画素それぞれに対応する多値データに基づく、前記複数の画素それぞれのドットの配置を決定するために使用するドット配置パターンを、前記複数の画素に対応させて配列した単位マトリクスに従って、前記所定領域の前記複数の画素におけるドットの配置を前記所定領域ごとに決定するドット配置決定手段と、第１の前記所定領域に記録するドットの配置を決定するために用いられる前記単位マトリクスの前記ドット配置パターンの前記配列と、前記第１の所定領域とは前記記録媒体における位置が異なる第２の所定領域に記録するドットの配置を決定するために用いられる前記単位マトリクスの前記ドット配置パターンの前記配列と、が異なるように、前記記録媒体における前記所定領域の位置に応じて、前記単位マトリクスにおける前記ドット配置パターンの配列を決定する配列決定手段と、を具えたことを特徴とする。
【手続補正２】
【補正対象書類名】特許請求の範囲
【補正対象項目名】全文
【補正方法】変更
【補正の内容】
【特許請求の範囲】
【請求項１】
データ処理装置であって、
記録媒体の所定領域に形成する画像を構成する複数の画素それぞれの階調を多値で示す多値データを取得する取得手段と、
前記取得手段により取得された、複数の前記画素それぞれに対応する多値データに基づく、前記複数の画素それぞれのドットの配置を決定するために使用するドット配置パターンを、前記複数の画素に対応させて配列した単位マトリクスに従って、前記所定領域の前記複数の画素におけるドットの配置を前記所定領域ごとに決定するドット配置決定手段と、
第１の前記所定領域に記録するドットの配置を決定するために用いられる前記単位マトリクスの前記ドット配置パターンの前記配列と、前記第１の所定領域とは前記記録媒体における位置が異なる第２の所定領域に記録するドットの配置を決定するために用いられる前記単位マトリクスの前記ドット配置パターンの前記配列と、が異なるように、前記記録媒体における前記所定領域の位置に応じて、前記単位マトリクスにおける前記ドット配置パターンの配列を決定する配列決定手段と、
を具えたことを特徴とするデータ処理装置。
【請求項２】
前記第２の所定領域に対応する前記単位マトリクスにおける前記ドット配置パターンの配列は、前記第１の所定領域に対応する前記単位マトリクスにおける前記ドット配置パターンの配列がオフセットされた配列であることを特徴とする請求項１に記載のデータ処理装置。
【請求項３】
前記配列決定手段は、前記記録媒体における複数の前記所定領域それぞれの位置に応じて、前記単位マトリクスにおける前記ドット配置パターンの配列をオフセットするオフセット量を決定し、
前記ドット配置決定手段は、決定された前記オフセット量で前記ドット配置パターンの配列がオフセットされた前記単位マトリクスを用いて前記複数の前記所定領域それぞれにおけるドットの配置を決定することを特徴とする請求項１に記載のデータ処理装置。
【請求項４】
前記オフセット量を決定するためのオフセット値を生成するオフセット値生成手段をさらに有することを特徴とする請求項３に記載のデータ処理装置。
【請求項５】
前記オフセット値生成手段は、擬似乱数発生回路を有し、前記擬似乱数発生回路が発生した疑似乱数により前記オフセット値を生成することを特徴とする請求項４に記載のデータ処理装置。
【請求項６】
前記オフセット値生成手段は、記録に用いるインクのインク色に応じて前記オフセット値が異なるように、前記インクの色を示す情報に基づいて前記オフセット値を生成することを特徴とする請求項４に記載のデータ処理装置。
【請求項７】
前記オフセット値生成手段は、前記多値データのレベルに応じて前記オフセット値が異なるようにオフセット値を生成することを特徴とする請求項４に記載のデータ処理装置。
【請求項８】
前記オフセット値生成手段は、前記単位マトリクスが対応する記録媒体の位置に応じた前記オフセット値が非周期的な値となるように前記オフセット値を発生させることを特徴とする請求項４に記載のデータ処理装置。
【請求項９】
前記オフセット値生成手段は、前記単位マトリクスの画素配列におけるドット配置パターンの縦方向および横方向の位置を（Ｘ、Ｙ）とし、また、前記横方向の画素数をＡ、前記縦方向の画素数をＢとし、ドット配置パターンの位置（Ｘ、Ｙ）を、アドレスＸ＋ＡＹで表す場合、該アドレスが、オフセット値をＡ×Ｂで割ったときの剰余となる位置の画素が位置（０、０）になるよう前記オフセット値を定めることを特徴とする請求項４に記載のデータ処理装置。
【請求項１０】
前記オフセット値生成手段は、前記単位マトリクスにおけるドット配置パターンの縦方向および横方向の位置を（Ｘ、Ｙ）とするとき、ドット配置パターンの位置（Ｘ、Ｙ）の座標Ｘ、Ｙを乱数で座標を発生し、その座標が位置（０、０）になるよう前記オフセット値を定めることを特徴とする請求項４に記載のデータ処理装置。
【請求項１１】
前記オフセット値生成手段は、前記単位マトリクスが対応する記録媒体における前記所定領域の位置に応じて前記オフセット値が異なるように、前記記録媒体における前記所定領域の位置情報に基づいて前記オフセット値を生成することを特徴とする請求項４に記載のデータ処理装置。
【請求項１２】
前記単位マトリクスを記憶する記憶手段をさらに具え、前記単位マトリクスは、横方向における複数のドット配置パターンの配列×縦方向における複数のドット配置パターンの配列を表すことを特徴とする請求項１に記載のデータ処理装置。
【請求項１３】
前記第１の前記所定領域に対して用いられる前記単位マトリクスにおける前記複数のドット配置パターンの配列と、前記第２の前記所定領域に対して用いられる前記単位マトリクスにおける前記複数のドット配置パターンの配列と、は主走査方向において隣接することを特徴とする請求項１に記載のデータ処理装置。
【請求項１４】
前記第１の前記所定領域に対して用いられる前記単位マトリクスにおける前記複数のドット配置パターンの配列と、前記第２の前記所定領域に対して用いられる前記単位マトリクスにおける前記複数のドット配置パターンの配列と、は副走査方向において隣接することを特徴とする請求項１に記載のデータ処理装置。
【請求項１５】
前記ドット配置決定手段によって決定されたドット配置に基づいて前記記録媒体にインクを吐出することによりドットの記録を行う記録ヘッドをさらに具えることを特徴とする請求項１に記載のデータ処理装置。
【請求項１６】
データ処理方法であって、
記録媒体の所定領域に形成する画像を構成する複数の画素それぞれの階調を多値で示す多値データを取得する工程と、
取得された、複数の前記画素それぞれに対応する多値データに基づく、前記複数の画素それぞれのドットの配置を決定するために使用するドット配置パターンを、前記複数の画素に対応させて配列した単位マトリクスに従って、前記所定領域の前記複数の画素におけるドットの配置を前記所定領域ごとに決定する工程と、
第１の前記所定領域に記録するドットの配置を決定するために用いられる前記単位マトリクスの前記ドット配置パターンの前記配列と、前記第１の所定領域と前記記録媒体における位置が異なる第２の所定領域に記録するドットの配置を決定するために用いられる前記単位マトリクスの前記ドット配置パターンの前記配列と、が異なるように、前記記録媒体における前記所定領域の位置に応じて位置に応じて、前記単位マトリクスにおける前記ドット配置パターンの配列を決定する工程と、
を有することを特徴とするデータ処理方法。
【請求項１７】
前記第２の所定領域に対応する前記単位マトリクスにおける前記ドット配置パターンの配列は、前記第１の所定領域に対応する前記単位マトリクスにおける前記ドット配置パターンの配列がオフセットされた配列であることを特徴とする請求項１６に記載のデータ処理方法。
【請求項１８】
前記記録媒体における複数の前記所定領域それぞれの位置に応じて、前記単位マトリクスにおける前記ドット配置パターンの配列をオフセットするオフセット量を決定し、
決定された前記オフセット量で前記ドット配置パターンの配列がオフセットされた前記単位マトリクスを用いて前記複数の前記所定領域それぞれにおけるドットの配置を決定することを特徴とする請求項１６に記載のデータ処理方法。
【請求項１９】
前記オフセット量を決定するためのオフセット値を生成することを特徴とする請求項１８に記載のデータ処理方法。
【請求項２０】
擬似乱数発生回路を有し、前記擬似乱数発生回路が発生した疑似乱数により前記オフセット値を生成することを特徴とする請求項１９に記載のデータ処理方法。
【請求項２１】
記録に用いるインクのインク色に応じて前記オフセット値が異なるように、前記インクの色を示す情報に基づいて前記オフセット値を生成することを特徴とする請求項１９に記載のデータ処理方法。
【請求項２２】
前記多値データのレベルに応じて前記オフセット値が異なるようにオフセット値を生成することを特徴とする請求項１９に記載のデータ処理方法。
【請求項２３】
前記単位マトリクスが対応する記録媒体の位置に応じた前記オフセット値が非周期的な値となるように前記オフセット値を発生させることを特徴とする請求項１９に記載のデータ処理方法。
【請求項２４】
前記単位マトリクスの画素配列におけるドット配置パターンの縦方向および横方向の位置を（Ｘ、Ｙ）とし、また、前記横方向の画素数をＡ、前記縦方向の画素数をＢとし、ドット配置パターンの位置（Ｘ、Ｙ）を、アドレスＸ＋ＡＹで表す場合、該アドレスが、オフセット値をＡ×Ｂで割ったときの剰余となる位置の画素が位置（０、０）になるよう前記オフセット値を定めることを特徴とする請求項１９に記載のデータ処理方法。
【請求項２５】
前記オフセット値の生成は、前記単位マトリクスにおけるドット配置パターンの縦方向および横方向の位置を（Ｘ、Ｙ）とするとき、ドット配置パターンの位置（Ｘ、Ｙ）の座標Ｘ、Ｙを乱数で座標を発生し、その座標が位置（０、０）になるよう前記オフセット値を定めることを特徴とする請求項１９に記載のデータ処理方法。
【請求項２６】
前記単位マトリクスが対応する記録媒体における前記所定領域の位置に応じて前記オフセット値が異なるように、前記記録媒体における前記所定領域の位置情報に基づいて前記オフセット値を生成することを特徴とする請求項１９に記載のデータ処理方法。
【請求項２７】
前記第１の前記所定領域に対して用いられる前記単位マトリクスにおける前記複数のドット配置パターンの配列と、前記第２の前記所定領域に対して用いられる前記単位マトリクスにおける前記複数のドット配置パターンの配列と、は主走査方向において隣接することを特徴とする請求項１６に記載のデータ処理方法。
【請求項２８】
前記第１の前記所定領域に対して用いられる前記単位マトリクスにおける前記複数のドット配置パターンの配列と、前記第２の前記所定領域に対して用いられる前記単位マトリクスにおける前記複数のドット配置パターンの配列と、は副走査方向において隣接することを特徴とする請求項１６に記載のデータ処理方法。